(57)【要約】【課題】好適な通信速度で通信を行うことができる通信装置およびＤＣ−ＤＣコンバータを提供する。【解決手段】指令部と制御部とが双方向通信を行う通信装置であって、指令部は、制御指令に対する応答信号を受信できなかった場合（Ｓ３でＹＥＳ）、制御指令を送信する再度の制御指令送信動作（Ｓ５）、現在の通信速度を一段階引き下げる引下動作（Ｓ６）、および引き下げ後の通信速度で要求指令を送信する要求指令送信動作（Ｓ７）からなる一連の動作を行った後、受信した現在情報に含まれている制御対象の現在の状態と、制御指令に含まれている制御対象の目標の状態とが一致しているか否かを確認する確認動作を行い（Ｓ９）、両者が一致しているときは（Ｓ９でＹＥＳ）、引き下げ後の通信速度を引き上げる引上動作を行う一方（Ｓ１０）、両者が一致していないときは（Ｓ９でＮＯ）、引き下げ後の通信速度を維持する（Ｓ１１）ことを特徴とする。【選択図】図３
2014230248.tif 000002
【特許請求の範囲】
【請求項１】
制御対象を目標の状態に変化させるための制御指令を送信する制御指令送信動作、および前記制御対象の現在の状態に関する現在情報を送信させるための要求指令を送信する要求指令送信動作を行う指令部と、
前記制御指令に基づいて前記制御対象を制御する制御動作、前記制御指令に対するレスポンスとして前記指令部に応答信号を送信する第１応答動作、および前記要求指令に対するレスポンスとして前記指令部に前記現在情報を送信する第２応答動作を行う制御部と、
を備え、前記指令部と前記制御部とが多段階に変更可能な通信速度で双方向通信を行う通信装置であって、
前記指令部は、
前記制御指令に対する前記制御部からの前記応答信号を受信できなかった場合、
現在の通信速度を変更することなく前記制御指令を送信する再度の制御指令送信動作、前記現在の通信速度を一段階引き下げる引下動作、および引き下げ後の通信速度で前記要求指令を送信する前記要求指令送信動作からなる一連の動作を、前記現在情報を受信するまで繰り返し行った後、
受信した前記現在情報に含まれている前記制御対象の現在の状態と、前記再度の制御指令送信動作の際に送信した前記制御指令に含まれている前記制御対象の目標の状態とが一致しているか否かを確認する確認動作を行い、
前記現在の状態と前記目標の状態とが一致しているときは、前記引き下げ後の通信速度を引き上げる引上動作を行う一方、前記現在の状態と前記目標の状態とが一致していないときは、前記引き下げ後の通信速度を維持する
ことを特徴とする通信装置。
【請求項２】
前記双方向通信は、二線式シリアル通信であることを特徴とする請求項１に記載の通信装置。
【請求項３】
ＰＷＭ信号で駆動されるスイッチ手段を含むコンバータ部と、
前記コンバータ部の出力指令値に関する制御指令を送信する制御指令送信動作、および前記コンバータ部の現在の出力値に関する現在情報を送信させるための要求指令を送信する要求指令送信動作を行う指令部と、
前記コンバータ部の出力値が前記出力指令値と一致するように前記ＰＷＭ信号のデューティを制御する制御動作、前記制御指令に対するレスポンスとして前記指令部に応答信号を送信する第１応答動作、および前記要求指令に対するレスポンスとして前記指令部に前記現在情報を送信する第２応答動作を行う制御部と、
を備え、前記指令部と前記制御部とが多段階に変更可能な通信速度で双方向通信を行うＤＣ／ＤＣコンバータであって、
前記指令部は、
前記制御指令に対する前記制御部からの前記応答信号を受信できなかった場合、
現在の通信速度を変更することなく前記制御指令を送信する再度の制御指令送信動作、前記現在の通信速度を一段階引き下げる引下動作、および引き下げ後の通信速度で前記要求指令を送信する前記要求指令送信動作からなる一連の動作を、前記現在情報を受信するまで繰り返し行った後、
受信した前記現在情報に含まれている前記コンバータ部の現在の出力値と、前記再度の制御指令送信動作の際に送信した前記制御指令に含まれている前記コンバータ部の出力指令値とが一致しているか否かを確認する確認動作を行い、
前記現在の出力値と前記出力指令値とが一致しているときは、前記引き下げ後の通信速度を引き上げる引上動作を行う一方、前記現在の出力値と前記出力指令値とが一致していないときは、前記引き下げ後の通信速度を維持する
ことを特徴とするＤＣ／ＤＣコンバータ。
【発明の詳細な説明】
【技術分野】
【０００１】
本発明は、多段階に変更可能な通信速度で双方向通信を行う指令部および制御部を備えた通信装置およびＤＣ−ＤＣコンバータに関する。
【背景技術】
【０００２】
従来から、制御対象を特定の状態に変化させるための制御指令（実行コマンド）を送信する指令部と、受信した制御指令に基づいて制御対象を制御するとともに当該制御指令に対するレスポンスを指令部に送信する制御部とを備えた通信装置として、指令部がレスポンス未受信の場合に、通信速度を引き下げてから制御指令を再送する通信装置が知られている（例えば、特許文献１参照）。この通信装置では、通信速度を引き下げてから制御指令を再送することで、制御部は制御指令を確実に受信できるようになる。なお、引き下げられた通信速度は、再送された制御指令に対するレスポンスを指令部が受信した後に、引き下げ前の状態まで引き上げられる。
【先行技術文献】
【特許文献】
【０００３】
【特許文献１】特開２００７−８０３２４号公報
【発明の概要】
【発明が解決しようとする課題】
【０００４】
ところで、指令部がレスポンスを受信できない要因は、ノイズ等による外乱と、通信ラインに接続されたプルアップ回路の開放等による故障とに大別される。前者の場合、その影響は一時的なものであるため、通信速度を引き下げたままではかえって制御特性の悪化を招くおそれがある。一方、後者の場合、その影響は持続的なものであるため、通信速度を引き下げたままにしておくことが好ましい。
【０００５】
しかしながら、上記従来の通信装置では、レスポンスを受信できなかった要因を一時的な外乱と持続的な故障とに区別することができず、一律に通信速度の引き下げ／引き上げを行っている。このため、上記従来の通信装置では、好適な通信速度で通信を行うことができなかった。
【０００６】
本発明は上記事情に鑑みてなされたものであって、その課題とするところは、好適な通信速度で通信を行うことができる通信装置およびＤＣ−ＤＣコンバータを提供することにある。
【課題を解決するための手段】
【０００７】
上記課題を解決するために、本発明に係る通信装置は、（１）制御対象を目標の状態に変化させるための制御指令を送信する制御指令送信動作、および制御対象の現在の状態に関する現在情報を送信させるための要求指令を送信する要求指令送信動作を行う指令部と、
制御指令に基づいて制御対象を制御する制御動作、制御指令に対するレスポンスとして指令部に応答信号を送信する第１応答動作、および要求指令に対するレスポンスとして指令部に現在情報を送信する第２応答動作を行う制御部と、
を備え、指令部と制御部とが多段階に変更可能な通信速度で双方向通信を行う通信装置であって、
指令部は、
制御指令に対する制御部からの応答信号を受信できなかった場合、
現在の通信速度を変更することなく制御指令を送信する再度の制御指令送信動作、現在の通信速度を一段階引き下げる引下動作、および引き下げ後の通信速度で要求指令を送信する要求指令送信動作からなる一連の動作を、現在情報を受信するまで繰り返し行った後、
受信した現在情報に含まれている制御対象の現在の状態と、再度の制御指令送信動作の際に送信した制御指令に含まれている制御対象の目標の状態とが一致しているか否かを確認する確認動作を行い、
現在の状態と目標の状態とが一致しているときは、引き下げ後の通信速度を引き上げる引上動作を行う一方、現在の状態と目標の状態とが一致していないときは、引き下げ後の通信速度を維持することを特徴とする。
【０００８】
この構成では、現在の通信速度を変更することなく制御指令を再送した後、現在の通信速度を一段階引き下げて、引き下げ後の通信速度で要求指令を送信しているため、確認動作において制御対象の現在の状態と制御対象の目標の状態とが一致していた場合は、応答信号を受信できなかった要因を一時的な外乱であると特定することができる一方、確認動作において制御対象の現在の状態と制御対象の目標の状態とが一致していなかった場合は、上記要因を持続的な故障であると特定することができる。
【０００９】
さらに、この構成では、制御対象の現在の状態と制御対象の目標の状態とが一致していたとき（応答信号を受信できなかった要因が一時的な外乱であるとき）は、引き下げ後の通信速度が引き上げられる一方、制御対象の現在の状態と制御対象の目標の状態とが一致していなかったとき（上記要因が持続的な故障であるとき）は、引き下げ後の通信速度が維持される。
【００１０】
したがって、この構成によれば、応答信号を受信できなかった要因が一時的な外乱の影響によるものか持続的な故障の影響によるものかを区別することができ、かつ上記要因に応じた好適な通信速度で通信を行うことができる。
【００１１】
上記（１）の通信装置では、（２）双方向通信として、例えば、二線式シリアル通信を採用できる。
【００１２】
上記課題を解決するために、本発明に係るＤＣ−ＤＣコンバータは、（３）ＰＷＭ信号で駆動されるスイッチ手段を含むコンバータ部と、
コンバータ部の出力指令値に関する制御指令を送信する制御指令送信動作、およびコンバータ部の現在の出力値に関する現在情報を送信させるための要求指令を送信する要求指令送信動作を行う指令部と、
コンバータ部の出力値が出力指令値と一致するようにＰＷＭ信号のデューティを制御する制御動作、制御指令に対するレスポンスとして指令部に応答信号を送信する第１応答動作、および要求指令に対するレスポンスとして指令部に現在情報を送信する第２応答動作を行う制御部と、
を備え、指令部と制御部とが多段階に変更可能な通信速度で双方向通信を行うＤＣ／ＤＣコンバータであって、
指令部は、
制御指令に対する制御部からの応答信号を受信できなかった場合、
現在の通信速度を変更することなく制御指令を送信する再度の制御指令送信動作、現在の通信速度を一段階引き下げる引下動作、および引き下げ後の通信速度で要求指令を送信する要求指令送信動作からなる一連の動作を、現在情報を受信するまで繰り返し行った後、
受信した現在情報に含まれているコンバータ部の現在の出力値と、再度の制御指令送信動作の際に送信した制御指令に含まれているコンバータ部の出力指令値とが一致しているか否かを確認する確認動作を行い、
現在の出力値と出力指令値とが一致しているときは、引き下げ後の通信速度を引き上げる引上動作を行う一方、現在の出力値と出力指令値とが一致していないときは、引き下げ後の通信速度を維持することを特徴とする。
【００１３】
この構成では、現在の通信速度を変更することなく制御指令を再送した後、現在の通信速度を一段階引き下げて、引き下げ後の通信速度で要求指令を送信しているため、確認動作においてコンバータ部の現在の出力値と出力指令値とが一致していた場合は、応答信号を受信できなかった要因を一時的な外乱であると特定することができる一方、確認動作においてコンバータ部の現在の出力値と出力指令値とが一致していなかった場合は、上記要因を持続的な故障であると特定することができる。
【００１４】
さらに、この構成では、コンバータ部の現在の出力値と出力指令値とが一致していたとき（応答信号を受信できなかった要因が一時的な外乱であるとき）は、引き下げ後の通信速度が引き上げられる一方、コンバータ部の現在の出力値と出力指令値とが一致していなかったとき（上記要因が持続的な故障であるとき）は、引き下げ後の通信速度が維持される。
【００１５】
したがって、この構成によれば、応答信号を受信できなかった要因が一時的な外乱の影響によるものか持続的な故障の影響によるものかを区別することができ、かつ上記要因に応じた好適な通信速度で通信を行うことができる。
【発明の効果】
【００１６】
本発明によれば、好適な通信速度で通信を行うことができる通信装置およびＤＣ−ＤＣコンバータを提供することができる。
【図面の簡単な説明】
【００１７】
【図１】本発明の一実施形態に係るＤＣ−ＤＣコンバータのブロック図である。
【図２】図１のＤＣ−ＤＣコンバータにおけるコンバータ部の回路図である。
【図３】図１のＤＣ−ＤＣコンバータにおける指令部の通信動作を示すフローチャートである。
【発明を実施するための形態】
【００１８】
以下、添付図面を参照して、本発明に係る通信装置およびＤＣ−ＤＣコンバータの好ましい実施形態について説明する。
【００１９】
［構成］
図１に、本発明の一実施形態に係るＤＣ−ＤＣコンバータ１を示す。同図に示すように、ＤＣ−ＤＣコンバータ１は、コンバータ部２と、指令部３と、制御部４とを備えている。指令部３および制御部４は、本発明の「通信装置」に相当し、多段階に変更可能な通信速度で双方向通信（本実施形態では、Ｉ２Ｃ通信）を行うよう構成されている。
【００２０】
コンバータ部２は、本発明の「制御対象」に相当する。コンバータ部２は、図２に示すように、ＩＧＢＴやＭＯＳＦＥＴ等の４つのスイッチ手段２１ａ〜２１ｄを有するブリッジ回路２１と、ブリッジ回路２１に１次側が接続されたトランス２２と、トランス２２の２次側に接続されたダイオードおよびＬＣローパスフィルタを有する出力部２３とを備えている。
【００２１】
コンバータ部２では、ブリッジ回路２１で直流の入力電圧から交流の１次側電圧が生成される。そして、トランス２２で１次側電圧が昇圧または降圧されて２次側電圧に変換され、出力部２３で２次側電圧から直流の出力電圧が生成される。
【００２２】
再び図１を参照して、指令部３は、データラインＳＤＡを介してコンバータ部２の出力電圧指令値に関する制御指令を制御部４に送信する「制御指令送信動作」と、データラインＳＤＡを介してコンバータ部２の現在の出力電圧値を送信させるための要求指令を制御部４に送信する「要求指令送信動作」とを行う。
【００２３】
また、指令部３は、同期クロック信号を生成し、クロックラインＳＣＬを介して同期クロック信号を制御部４に送信する「同期クロック信号送信動作」も行う。指令部３および制御部４は、同期クロック信号に同期させて、データラインＳＤＡにおける通信（データの送受信）を行う。
【００２４】
さらに、指令部３は、同期クロック信号の周期を多段階に変更することで、指令部３および制御部４の通信速度を多段階に変更することができる。例えば、指令部３は、同期クロック信号の周期を５段階に変更することで、通信速度を２５００００［ｂｐｓ］、１２５０００［ｂｐｓ］、８００００［ｂｐｓ］、６００００［ｂｐｓ］、５００００［ｂｐｓ］の５段階に変更できる。なお、指令部３には、通信速度を記憶しておくためのＥＥＰＲＯＭ等の記憶手段が設けられている。
【００２５】
制御部４は、指令部３からの制御指令に基づいて、コンバータ部２の出力電圧値が当該制御指令に含まれている出力電圧指令値に一致するように、スイッチ手段２１ａ〜２１ｄを駆動するＰＷＭ信号のデューティをフィードバック制御等により制御する「制御動作」を行う。
【００２６】
また、制御部４は、制御指令に対するレスポンスとして、データラインＳＤＡを介して応答信号（アクノリッジ）を指令部３に送信する「第１応答動作」と、指令部３からの要求指令に対するレスポンスとして、データラインＳＤＡを介してコンバータ部２の現在の出力電圧値に関する現在情報を指令部３に送信する「第２応答動作」とを行う。なお、指令部３は、応答信号については常時受信できるようになっているのに対して、現在情報については要求指令送信動作後の所定時間内にのみ受信できるようになっている。
【００２７】
［指令部−制御部間の通信フロー］
次に、図３を参照しつつ、指令部３および制御部４の通信フローについて具体的に説明する。なお、指令部３は、上位の電子制御ユニット（ＥＣＵ）からの指令をきっかけとして動作を開始するものとし、指令部３の記憶手段には、２５００００［ｂｐｓ］の通信速度が初期状態の通信速度として記憶されているものとする。
【００２８】
動作を開始した指令部３は、制御部４との通信を開始し（Ｓ１）、コンバータ部２の出力電圧指令値に関する制御指令を制御部４に送信する「制御指令送信動作」を行う（Ｓ２）。さらに、指令部３は、記憶手段を参照し、通信速度が２５００００［ｂｐｓ］となるように同期クロック信号を出力する「同期クロック信号送信動作」も行う。
【００２９】
制御指令を受信した制御部４は、制御指令に基づいてコンバータ部２を制御する「制御動作」と、制御指令に対するレスポンスとして応答信号を指令部３に送信する「第１応答動作」とを行う。これにより、指令部３は、制御部４からの応答信号を受信することとなる（Ｓ３でＮＯ）。応答信号を受信した指令部３は、制御部４との通信を完了して（Ｓ４）、動作を終了する。
【００３０】
一方、何らかの要因で制御部４が制御指令を受信できなかった場合、制御部４は応答信号を指令部３に送信しないので、指令部３は、応答信号を受信できない（Ｓ３でＹＥＳ）。制御部４が制御指令を受信できなかった要因としては、ノイズ等による一時的な外乱の影響、または通信ラインＳＤＡ、ＳＣＬに接続されたプルアップ回路Ｒ１、Ｒ２の開放等による持続的な故障の影響が考えられる。
【００３１】
制御指令を送信してから所定時間以内（例えば、通信周期が２０ｍｓの場合には、１０ｍｓ以内）に応答信号を受信できなかった指令部３は、通信速度（２５００００［ｂｐｓ］）を引き下げることなく制御部４に制御指令を再送する「再度の制御指令送信動作」を行う（Ｓ５）。なお、指令部３は、「再度の制御指令送信動作」を行う前に、通信を初期化する「初期化動作」を行ってもよい。この「初期化動作」により、指令部３が送信する制御指令の内容と制御部４が受信する制御指令の内容に不整合が発生したり、制御部４等に故障や異常が発生したりするのを防ぐことができる。
【００３２】
「再度の制御指令送信動作」を行った指令部３は、現在の通信速度を一段階引き下げる「引下動作」を行う（Ｓ６）。具体的には、指令部３は、同期クロック信号の周期を遅らせることで、通信速度を２５００００［ｂｐｓ］から１２５０００［ｂｐｓ］に引き下げる。これにより、持続的な故障が発生している場合には、波形なまり（立ち上がり／立ち下がりの遅れ）が低減されて、故障の影響が抑制される。
【００３３】
「引下動作」を行った指令部３は、引き下げ後の通信速度（１２５０００［ｂｐｓ］）で、コンバータ部２の現在の出力電圧値に関する現在情報を送信させるための要求指令を制御部４に送信する「要求指令送信動作」を行う（Ｓ７）。
【００３４】
通信速度を１２５０００［ｂｐｓ］に引き下げたことで制御部４が要求指令を受信できた場合、指令部３は、制御部４からの現在情報を受信できる（Ｓ８でＮＯ）。このことは、ステップＳ２において送信された制御指令を制御部４が受信できなかった要因が、ステップＳ８の時点までに解消していることを意味する。すなわち、このことは、上記要因が一時的な外乱か持続的な故障かまでは特定できないが、たとえ上記要因が持続的な故障であったとしても、通信速度を１２５０００［ｂｐｓ］に引き下げれば、その影響を通信に支障をきたさない程度にまで低減できることを意味する。
【００３５】
一方、通信速度を１２５０００［ｂｐｓ］に引き下げても制御部４が要求指令を受信できなかった場合、指令部３は、制御部４からの現在情報を受信できない（Ｓ８でＹＥＳ）。このことは、ステップＳ２において送信された制御指令を制御部４が受信できなかった要因が、ステップＳ８の時点でも解消していないことを意味する。すなわち、このことは、上記要因が持続的な故障であって、ノイズのような一時的な外乱ではないことを意味する。
【００３６】
現在情報を受信できなかった指令部３は、現在の通信速度（１２５０００［ｂｐｓ］）のまま制御部４に制御指令を再送する「再度の制御指令送信動作」を行い（Ｓ５）、通信速度をさらに一段階引き下げる（１２５０００［ｂｐｓ］から８００００［ｂｐｓ］に引き下げる）「引下動作」を行った後（Ｓ６）、引き下げ後の通信速度（８００００［ｂｐｓ］）で制御部４に要求指令を送信する「要求指令送信動作」を行う（Ｓ７）。指令部３は、上記「再度の制御指令送信動作」、「引下動作」および「要求指令送信動作」からなる一連の動作を、原則として現在情報を受信できるまで繰り返し行う。一方、最も遅い通信速度まで「引下動作」を行っても現在情報を受信できない場合には（Ｓ１２でＹＥＳ）、指令部３は、通信の故障（通信バスラインの断線等で通信速度引下げによっては解消しない故障）と判断し（Ｓ１３）、適宜、ＤＣ−ＤＣコンバータ１の出力停止、上位ＥＣＵへの通知、ユーザへの通知、ＥＥＰＲＯＭ等の記憶手段への故障情報書込みを行う。その後、制御部４との通信を完了して（Ｓ４）、動作を終了する。
【００３７】
ステップＳ８において現在情報を受信した指令部３は、現在情報に含まれているコンバータ部２の現在の出力電圧値と、ステップＳ５の「再度の制御指令送信動作」の際に送信した制御指令に含まれているコンバータ部２の出力電圧指令値とが一致しているか否かを確認する「確認動作」を行う（Ｓ９）。
【００３８】
現在の出力電圧値と出力電圧指令値とが一致するためには（Ｓ９でＹＥＳ）、制御部４がステップＳ５において再送された制御指令を受信して「制御動作」を行う必要がある。この点、ステップＳ７において送信された要求指令を受信できなかった制御部４が、直後のステップＳ５において再送された制御指令を受信できるとは考えにくいため、制御部４は、ステップＳ２の直後のステップＳ５において再送された制御指令を受信したと考えられる。すなわち、ステップＳ３までに制御部４が制御指令を受信できなかった要因は、一時的な外乱の影響によるものと考えられ、ステップＳ６における通信速度の引き下げは不要であったと考えられる。
【００３９】
したがって、現在の出力値と出力指令値とが一致している場合（Ｓ９でＹＥＳ）、指令部３は、引き下げ後の通信速度を初期状態に戻す（本実施形態では、通信速度が一段階引き下げられているので、一段階引き上げることで初期状態に戻る）「引上動作」を行う（Ｓ１０）。
【００４０】
一方、現在の出力値と出力指令値とが一致していない場合（Ｓ９でＮＯ）、制御部４は、ステップＳ５において引き下げ前の通信速度で再送された制御指令を受信することなく、ステップＳ７において引き下げ後の通信速度で送信された要求指令を受信したこととなる。すなわち、制御部４が制御指令（または要求指令）を受信できない要因は、ステップＳ６において通信速度が引き下げられたことにより初めて解消したこととなる。なお、上述したように、ステップＳ７において送信された要求指令を受信できなかった制御部４が、直後のステップＳ５において再送された制御指令を受信できるとは考えにくいため、指令部３が現在情報を受信できなかった場合（Ｓ８でＹＥＳ）、基本的に現在の出力値と出力指令値とは一致しない（Ｓ９でＮＯ）。
【００４１】
これらのことから、現在の出力値と出力指令値とが一致していない場合（Ｓ９でＮＯ）、上記要因は持続的な故障の影響によるものと考えられ、ステップＳ６における通信速度の引き下げは必要であったと考えられる。したがって、現在の出力値と出力指令値とが一致していない場合（Ｓ９でＮＯ）、指令部３は、引き下げ後の通信速度を維持する（Ｓ１１）。引き下げ後の通信速度は、ＥＥＰＲＯＭ等の記憶手段に記憶される。
【００４２】
ステップＳ１１において通信速度を維持した、またはステップＳ１０において通信速度を初期状態に戻した（一段階引き上げた）指令部３は、制御部４との通信を完了して（Ｓ４）、動作を終了する。なお、指令部３は、次回の動作開始時において、通信速度がステップＳ１０において引き上げた速度（初期状態の通信速度）、またはステップＳ１１において維持した速度（引き下げた状態の通信速度）となるように、同期クロック信号を出力する。
【００４３】
結局、本実施形態に係るＤＣ−ＤＣコンバータ１によれば、ステップＳ９においてコンバータ部２の現在の出力電圧値と出力電圧指令値とが一致しているか否かを確認する「確認動作」を行うことで、ステップＳ３において指令部３が応答信号を受信できなかった要因が、一時的な外乱の影響によるものか持続的な故障の影響によるものかを特定することができる。
【００４４】
また、本実施形態に係るＤＣ−ＤＣコンバータ１によれば、指令部３が応答信号を受信できなかった要因が一時的な外乱の影響によるものであるときは、ステップＳ１０において引き下げ後の通信速度が引き上げられる一方、上記要因が持続的な故障の影響によるものであるときは、ステップＳ１１において引き下げ後の通信速度が維持されるので、上記要因に応じた好適な通信速度で通信を行うことができる。
【００４５】
以上、本発明に係る通信装置およびＤＣ−ＤＣコンバータの好ましい実施形態について説明したが、本発明は上記実施形態に限定されるものではない。
【００４６】
例えば、上記実施形態では、制御部４が電圧制御するものとして、指令部３は、コンバータ部２の出力電圧指令値に関する制御指令を送信し、かつコンバータ部２の現在の出力電圧値を送信させるための要求指令を送信するよう構成されているが、制御部４が電流制御する場合、指令部３は、コンバータ部２の出力電流指令値に関する制御指令を送信し、かつコンバータ部２の現在の出力電流値を送信させるための要求指令を送信するよう構成できる。また、制御部４がハードロジックの場合、指令部３は、ハードロジックに含まれているフィードバックゲインの調整器（ポテンショメータ）の設定指令値（抵抗指令値）を送信し、かつ上記調整器の現在の指令値（抵抗値）を送信させるための要求指令を送信するよう構成できる。
【００４７】
上記実施形態におけるＤＣ−ＤＣコンバータ１では、指令部３は、ステップＳ７において要求指令を制御部４に送信する「要求指令送信動作」を１回行っているが、複数回行ってもよい。ステップＳ７において指令部３が「要求指令送信動作」を複数回行うことにより、ステップＳ７の時点で一時的な外乱が発生した場合に、制御部４が要求指令を受信できなくなるのを防ぐことができる。
【００４８】
上記実施形態のＤＣ−ＤＣコンバータ１における通信速度は、一例であり、通信装置の要求または仕様に応じて任意に変更可能である。同様に、通信速度の引き下げ方も、通信装置の要求または仕様に応じて任意に変更可能である。
【００４９】
上記実施形態のＤＣ−ＤＣコンバータ１における指令部３は、応答信号について常時受信できるようになっているのに対して、現在情報については要求指令送信動作後の所定時間内にのみ受信できるようになっているが、現在情報についても常時受信できるようにすることができる。
【００５０】
また、上記実施形態では、双方向通信の方式としてＩ２Ｃ通信を例に挙げて説明したが、本発明は、これ以外の二線式シリアル通信に好適に適用可能であり、二線式シリアル通信以外の通信にも適用可能である。
【００５１】
さらに、本発明は、ＤＣ−ＤＣコンバータ以外の通信装置に適用可能である。
【符号の説明】
【００５２】
１    ＤＣ−ＤＣコンバータ
２    コンバータ部
３    指令部
４    制御部
２１    ブリッジ回路
２１ａ〜２１ｄ    スイッチ手段
２２    トランス
２３    出力部
【図１】
2014230248.tif 000003
【図２】
2014230248.tif 000004
【図３】
2014230248.tif 000005